(57)【要約】【課題】高湿度等の使用環境下における光学部材の変形を防止することができ、美観に資するとともに、外部に出射される光量の損失を低減することができるように構成された光源モジュール及び該光源モジュールを備える照明装置を提供する。【解決手段】ＬＥＤ２，２…と、ＬＥＤ２，２…が実装されたＬＥＤ基板１とを備える光源モジュール１０において、反射シート３がＬＥＤ基板１に相対移動可能に保持してある。空気中の水蒸気を吸収して反射シート３が膨張したときに、反射シート３は、ＬＥＤ基板１との隙間、スペーサ５，５…及びＬＥＤ２，２…夫々との隙間の範囲内にてＬＥＤ基板１に対して自由に相対移動することができるから、反射シート３が部分的に浮き上がる又は変形することを防止することができる。この結果、美観に資するとともに、光源モジュール１０の外部に出射される光量の損失を低減することができる。【選択図】図３
2009283140.tif 000002
【特許請求の範囲】
【請求項１】
光源と、該光源を支持する支持体と、前記光源からの光の方向を変える光学部材とを備える光源モジュールにおいて、前記光学部材は、前記支持体に相対移動可能に保持してあることを特徴とする光源モジュール。
【請求項２】
光源と、該光源を支持する支持体と、該支持体に保持され前記光源からの光の方向を変える光学部材とを備える光源モジュールにおいて、
前記光学部材の膨張および／または収縮を吸収すべく吸収保持部を備えてなることを特徴とする光源モジュール。
【請求項３】
前記支持体に保持部材頭部が該支持体と離隔するように保持部材を設けており、前記光学部材は、前記保持部材頭部及び支持体間に介装してあることを特徴とする請求項１または２に記載の光源モジュール。
【請求項４】
前記光学部材は、前記保持部材の軸長方向に直交する方向への相対移動可能なように形成された貫通孔を有していることを特徴とする請求項１から３の何れか一つに記載の光源モジュール。
【請求項５】
前記保持部材頭部及び支持体間に介装されたスペーサを備えていることを特徴とする請求項３または４に記載の光源モジュール。
【請求項６】
前記保持部材の軸部は、前記保持部材頭部の側に拡径部を有していることを特徴とする請求項３または４に記載の光源モジュール。
【請求項７】
前記光学部材は光を反射する反射シートであることを特徴とする請求項１から６の何れか一つに記載の光源モジュール。
【請求項８】
ＬＥＤと、該ＬＥＤが実装されたＬＥＤ基板とを備える光源モジュールにおいて、前記ＬＥＤ基板にネジ頭部が該ＬＥＤ基板と離隔するように設けられたネジと、前記ＬＥＤ基板及びネジ頭部間に介装され、前記ＬＥＤからの光を反射する反射シートとを備えていることを特徴とする光源モジュール。
【請求項９】
光源モジュールからの光を照明光として出射する照明装置において、前記光源モジュールは請求項１から８の何れか一つに記載の光源モジュールであることを特徴とする照明装置。
【発明の詳細な説明】
【技術分野】
【０００１】
本発明は、光源からの光の方向を変える光学部材を有する光源モジュール及び該光源モジュールを備える照明装置に関する。
【背景技術】
【０００２】
住宅、オフィス等の室内の一般照明などの各種照明用の照明装置として、従来、白熱電球、蛍光灯等を光源とする照明装置が用いられている。近年、発光ダイオード（以下、ＬＥＤという）の高輝度化に伴い、低消費電力、長寿命等の特性を有するＬＥＤを光源として用いた照明装置が種々提案されている（例えば、特許文献１参照）。
【０００３】
特許文献１に開示された照明器具においては、基板に実装された複数の発光素子であるＬＥＤの光出射側に該ＬＥＤからの光を拡散させる光学部品を配置することにより、発光色の異なるＬＥＤによる色むらを低減するように構成してある。
【特許文献１】特開２００７−５９２０８号公報
【発明の開示】
【発明が解決しようとする課題】
【０００４】
ところで、白熱電球、蛍光灯等の光源の如く、全方向に光が出射される光源を用いた照明装置においては、光源からの光を照明光として有効に利用すべく、照明装置の内部の適宜の位置に反射シートを設けてあるのが一般的である。ＬＥＤを光源として用いる照明装置においても、光源からの光を照明光として有効に利用すべく、照明装置の内部の適宜の位置に反射シートを設けることが考えられる。特に、特許文献１に記載の照明器具の如く、ＬＥＤの光出射側に該ＬＥＤからの光を拡散させる光学部品を配置してある場合、該光学部品にて照明装置の内部へ拡散された光をさらに反射させて外部へ出射させるべく、反射シートを設けることが望ましい。
【０００５】
光を反射させる反射シートとして、ＰＥＴ（ポリエチレンテレフタレート）を基材として用いた広範囲の波長領域の光に対して高光反射率である反射シートが広く用いられている。この反射シートは、夏季等の高湿度の使用環境下において、空気中の水蒸気を吸収して膨張する。このような反射シートをネジ等の固定具により固定して用いた場合、吸湿により反射シートが膨張したときに、固定具により固定した部分は動かないため、固定具間に位置する反射シートが部分的に浮き上がる又は固定具近傍の反射シートが変形してしまい、美観を損ねることになる。さらに、ＬＥＤ近傍の反射シートが浮き上がる又は変形することにより、反射シートの一部がＬＥＤを覆うことになるので、照明光として外部へ出射される光量が減少する虞があった。
【０００６】
本発明は斯かる事情に鑑みてなされたものであり、高湿度等の使用環境下における光学部材の浮き上がり又は変形を防止することができ、美観に資するとともに、外部に出射される光量の損失を低減することができるように構成された光源モジュール及び該光源モジュールを備える照明装置を提供することを目的とする。
【課題を解決するための手段】
【０００７】
本発明に係る光源モジュールは、光源と、該光源を支持する支持体と、前記光源からの光の方向を変える光学部材とを備える光源モジュールにおいて、前記光学部材は、前記支持体に相対移動可能に保持してあることを特徴とする。
【０００８】
本発明にあっては、光源からの光の方向を変える光学部材を支持体に相対移動可能に保持してあるから、例えば、湿度等の使用環境に応じて膨張および／または収縮する材料製の光学部材を用いた場合において、光学部材が自由に伸縮することができ、光学部材が部分的に浮き上がる又は変形することを防止することが可能となる。この結果、美観に資するとともに、光源近傍の光学部材の浮き上がり又は変形により光源からの光が遮蔽されることを防止することができ、光源モジュールの外部に出射される光量の損失を低減することが可能となる。
【０００９】
本発明に係る光源モジュールは、光源と、該光源を支持する支持体と、該支持体に保持され前記光源からの光の方向を変える光学部材とを備える光源モジュールにおいて、前記光学部材の膨張および／または収縮を吸収すべく吸収保持部を備えてなることを特徴とする。
【００１０】
本発明にあっては、光源からの光の方向を変える光学部材の膨張および／または収縮を吸収するように光学部材を支持体に保持する吸収保持部を設けている。吸収保持部を適切に形成することにより、例えば、湿度等の使用環境に応じて膨張および／または収縮する材料製の光学部材を用いた場合において、光学部材が自由に伸縮することができ、光学部材が部分的に浮き上がる又は変形することを防止することが可能となる。この結果、美観に資するとともに、光源近傍の光学部材の浮き上がり又は変形により光源からの光が遮蔽されることを防止することができ、光源モジュールの外部に出射される光量の損失を低減することが可能となる。
【００１１】
本発明に係る光源モジュールは、前記支持体に保持部材頭部が該支持体と離隔するように保持部材を設けており、前記光学部材は、前記保持部材頭部及び支持体間に介装してあることを特徴とする。
【００１２】
本発明にあっては、保持部材頭部が支持体と離隔するように保持部材を支持体に設けて、この保持部材頭部及び支持体間に光学部材を介装している。保持部材頭部及び支持体間の間隔を適切に設定することにより、この間隔の範囲内において光学部材が自由に動くことができるから、ネジ等の保持部材を設けるという簡易な構成により、例えば、湿度等の使用環境に応じて膨張および／または収縮する材料製の光学部材を用いた場合において、光学部材が自由に伸縮することができ、光学部材が部分的に浮き上がる又は変形することを防止することが可能となる。
【００１３】
本発明に係る光源モジュールは、前記光学部材は、前記保持部材の軸長方向に直交する方向への相対移動可能なように形成された貫通孔を有していることを特徴とする。
【００１４】
本発明にあっては、前記保持部材の軸長方向に直交する方向への相対移動可能なように光学部材に貫通孔を設けており、貫通孔を適切に設定することにより、光学部材が保持部材の軸長方向に直交する方向に自由に動くことができるから、ネジ等の保持部材を設け、光学部材に適切な貫通孔を設けるという簡易な構成により、例えば、湿度等の使用環境に応じて膨張および／または収縮する材料製の光学部材を用いた場合において、光学部材が自由に伸縮することができ、光学部材が部分的に浮き上がる又は変形することを更に防止することが可能となる。
【００１５】
本発明に係る光源モジュールは、前記保持部材頭部及び支持体間に介装されたスペーサを備えていることを特徴とする。
【００１６】
本発明にあっては、前記保持部材頭部及び支持体間にスペーサを介装しており、スペーサを適切に設定することにより、スペーサを保持部材頭部及び支持体間に介装するという簡易な構成にて、光学部材の伸縮を阻害しないために必要な支持体及び保持部材頭部間の間隔を容易に確保することが可能となる。
【００１７】
本発明に係る光源モジュールは、前記保持部材の軸部は、前記保持部材頭部の側に拡径部を有していることを特徴とする。
【００１８】
本発明にあっては、前記保持部材の軸部の保持部材頭部の側に拡径部を設けており、拡径部を適切に設定することにより、拡径部を保持部材の軸部に設けるという簡易な構成にて、光学部材の伸縮を阻害しないために必要な支持体及び保持部材頭部間の間隔を容易に確保することが可能となる。
【００１９】
本発明に係る光源モジュールは、前記光学部材は光を反射する反射シートであることを特徴とする。
【００２０】
本発明にあっては、光学部材としての反射シートを該反射シートの伸縮を阻害しないように支持体に保持しているから、反射シートの浮き上がり又は変形を防止することができる。この結果、美観に資するとともに、光源近傍の反射シートの浮き上がり又は変形により光源からの光が遮蔽されることを防止することができ、光源モジュールの外部に出射される光量の損失を低減することが可能となる。
【００２１】
本発明に係る光源モジュールは、ＬＥＤと、該ＬＥＤが実装されたＬＥＤ基板とを備える光源モジュールにおいて、前記ＬＥＤ基板にネジ頭部が該ＬＥＤ基板と離隔するように設けられたネジと、前記ＬＥＤ基板及びネジ頭部間に介装され、前記ＬＥＤからの光を反射する反射シートとを備えていることを特徴とする。
【００２２】
本発明にあっては、ＬＥＤが実装されたＬＥＤ基板にネジ頭部が該ＬＥＤ基板と離隔するようにネジを設けて、ネジ頭部及びＬＥＤ基板間に反射シートを介装しており、ネジ頭部及びＬＥＤ基板間の間隔を適切に設定することにより、この間隔の範囲内において反射シートが自由に動くことができるから、ネジを設けるという簡易な構成により、例えば、湿度等の使用環境に応じて膨張および／または収縮する材料製の反射シートを用いた場合において、反射シートが部分的に浮き上がる又は変形することを防止することが可能となる。この結果、美観に資するとともに、光源近傍の反射シートの浮き上がり又は変形により光源からの光が遮蔽されることを防止することができ、光源モジュールの外部に出射される光量の損失を低減することが可能となる。
【００２３】
本発明に係る照明装置は、光源モジュールからの光を照明光として出射する照明装置において、前記光源モジュールは前述の発明に記載の光源モジュールであることを特徴とする。
【００２４】
本発明にあっては、光学部材の伸縮を阻害しないように該光学部材を保持するように構成された光源モジュールを備えているから、光学部材の浮き上がり又は変形を防止することができる。この結果、美観に資するとともに、照明光として外部に出射される光量の損失を低減することが可能となる。
【発明の効果】
【００２５】
本発明によれば、高湿度等の使用環境下における光学部材の浮き上がり又は変形を防止することができ、美観に資するとともに、外部に出射される光量の損失を低減することができる。
【発明を実施するための最良の形態】
【００２６】
以下、本発明をその実施の形態を示す図面に基づいて詳述する。
（実施の形態１）
図１は、本発明の実施の形態１に係る光源モジュール１０の模式的外観図である。図において１は、支持体としてのＬＥＤ基板であり、ＬＥＤ基板１は、ガラス繊維を含有するエポキシ樹脂製の矩形状の平板である。ＬＥＤ基板１の４隅及び中央部には、ネジ穴（図示せず）が設けてある。ＬＥＤ基板１の一面１ａには、図１に示すように、複数個（図において１２個）直列に接続された光源としてのＬＥＤ２，２…が複数列（図において６個）並列に配して実装してある。ＬＥＤ２，２…は、ＬＥＤ素子と、該ＬＥＤ素子を封止し、蛍光体が分散された封止樹脂と、入力端子及び出力端子とを備えてなる表面実装型ＬＥＤである。
【００２７】
ＬＥＤ２，２…が実装されたＬＥＤ基板１の一面１ａには、光学部材としての反射シート３が複数（図において５つ）の保持部材としてのネジ４，４…により保持してある。図２は、図１の反射シート３の模式的平面図である。反射シート３は、ＰＥＴを基材として用いた広範囲の波長領域の光に対して高光反射率である反射シートであり、ＬＥＤ基板１と略同一寸法の矩形シート状を有している。反射シート３には、ＬＥＤ２，２…より若干大きい矩形孔３ａ，３ａ…がＬＥＤ２，２…と同数形成してある。矩形孔３ａ，３ａ…は、ＬＥＤ２，２…が実装されたＬＥＤ基板１の一面１ａに反射シート３を取付けたときに、ＬＥＤ２，２…（図中に二点鎖線にて示す）の外面と矩形孔３ａ，３ａ…の周面との間に隙間Ｇ３（例えば１ｍｍ）があるように形成してある。さらに反射シート３には、４隅及び中央部に円形孔３ｂ，３ｂ…が形成してある。
【００２８】
図３は、図１の III−III 線による光源モジュールの部分断面図である。なお、図３は、ＬＥＤ基板１の他面１ｂ（ＬＥＤ２，２…が実装された一面１ａとは逆側の面）が上側になるように光源モジュール１０が保持されたときの図である。ネジ４，４…は、扁平な半球状のネジ頭部４１，４１…と、円柱状の軸部４２，４２…とを有する。図３に示す如く、ネジ４，４…のネジ頭部４１，４１…とＬＥＤ基板１の一面１ａとの間には、スペーサ５，５…が介装してある。スペーサ５，５…は、ネジ４，４…の軸部４２，４２…の外径と略同一寸法の内径を、ネジ頭部４１，４１…の外径よりも小さい外径を有する扁平な円筒である。スペーサ５，５…の高さは、反射シート３がＬＥＤ基板１の一面１ａ及びネジ頭部４１，４１…間に所定の隙間Ｇ１（例えば、１ｍｍ）を有して保持されるように、ＬＥＤ基板１の一面１ａとネジ４，４…のネジ頭部４１，４１…とを適長離隔するように決定してある。
【００２９】
反射シート３は、ＬＥＤ２，２…が実装されたＬＥＤ基板１の一面１ａに矩形孔３ａ，３ａ…とＬＥＤ２，２…とを整合させるように位置合わせをしたのち、スペーサ５，５…にネジ４，４…の軸部４２，４２…を挿通させ、ネジ４，４…をＬＥＤ基板１のネジ穴に螺合させることにより、ＬＥＤ基板１に取付けられる。これにより、反射シート３はＬＥＤ基板１との間に所定の隙間Ｇ１を有してＬＥＤ基板１に保持されることになる。前述した反射シート３の４隅及び中央部に設けられた円形孔３ｂ，３ｂ…は、該円形孔３ｂ，３ｂ…の周面がスペーサ５，５…の外周面との間に所定の隙間Ｇ２（例えば、１ｍｍ）を有し、ネジ４，４…のネジ頭部４１，４１…の外径よりも小さい直径を有するように形成してある。このようにＬＥＤ基板１との隙間Ｇ１、スペーサ５，５…及びＬＥＤ２，２…夫々との隙間Ｇ２，Ｇ３を有して反射シート３をネジ４，４…によりＬＥＤ基板１に保持するように構成することにより、反射シート３の膨張および／または収縮を吸収するように反射シート３を保持する吸収保持部が構成される。
【００３０】
以上のように構成された実施の形態１に係る光源モジュール１０において、光源モジュール１０が高湿度（例えば、室温４０℃、湿度９５％）の環境下にて保管または使用されたとき、反射シート３は、空気中の水蒸気を吸収して反射シート３の全体がほぼ均一に膨張する。反射シート３は、ＬＥＤ基板１との隙間Ｇ１、スペーサ５，５…及びＬＥＤ２，２…夫々との隙間Ｇ２，Ｇ３の範囲内にてＬＥＤ基板１に対して自由に相対移動することができるから、膨張に伴う伸びを吸収することができる。ネジ４，４…と、ネジ４，４…及びＬＥＤ基板１間に介装されたスペーサ５，５…という簡易な構成により、反射シート３が部分的に浮き上がる又は変形することを防止することができる。この結果、美観に資する。また、光源モジュール１０を点灯したときに、ＬＥＤ２，２…からの光の一部が反射シート３に入射し、入射した光が反射シート３にて反射され、光源モジュール１０の外部に出射されることになるが、前述の如く反射シート３の浮き上がり又は変形を防止することができるから、ＬＥＤ２，２…近傍の反射シート３の浮き上がり又は変形によりＬＥＤ２，２…からの光が遮蔽されることを防止することができるとともに、ＬＥＤ２，２…からの光を適切に反射することができ、光源モジュール１０の外部に出射される光量の損失を低減することができる。
【００３１】
この光源モジュール１０は、例えば、照明装置に用いられる。図４は、実施の形態１に係る光源モジュール１０を備える照明装置の外観斜視図である。図５は、実施の形態１に係る光源モジュール１０を備える照明装置の分解斜視図である。
【００３２】
図において６は、金属製のフレームであり、フレーム６は、細長い矩形状の底板６ａと、該底板６ａの端縁から略直交して延びる複数の立ち上がり部６ｂ，６ｂ，６ｃ，６ｄ，６ｄとを備えている。底板６ａには、立ち上がり部６ｂ，６ｂ，６ｃ，６ｄ，６ｄと逆側に突出する細長い矩形状の凹部６ｅが底板６ａの長辺に平行をなすように形成してある。底板６ａには、図５に示すように、ネジ穴６ｆ，６ｆ…が設けてある。
【００３３】
フレーム６の底板６ａには、アルミニウム製の放熱板７が取付けてある。放熱板７は、フレーム６の底板６ａより若干小さい矩形状の平板であり、放熱板７には、ネジ穴７ａ，７ａ…が夫々設けてある。
【００３４】
放熱板７には、図に示すように、実施の形態１に係る複数（図において８つ）の光源モジュール１０，１０…が、放熱板７の長辺に沿うように配してある。
【００３５】
これら光源モジュール１０，１０…は、ＬＥＤ基板１，１…の４隅及び中央に設けられたネジ穴、放熱板７に設けられたネジ穴７ａ，７ａ…及びフレーム６の底板６ａに設けられたネジ穴６ｆ，６ｆ…に、ネジ４，４…を螺合させることにより、放熱板７を介してフレーム６に取付けてある。
【００３６】
フレーム６の一端側には、電源回路部品８が取付けてある。電源回路部品８は、交流電流を直流電流に整流する全波整流部と、光源モジュール１０，１０…に供給する電流を一定にする定電流部と、光源モジュール１０，１０のＬＥＤ２，２…への給電／遮断を行う電界効果型トランジスタ等のスイッチング素子を有する駆動回路部とを備えている。
【００３７】
さらに、フレーム６には、図４に示す如く、光源モジュール１０，１０…を覆うようにカバー９が設けてある。カバー９は、広範囲の波長領域の光に対して高光透過率である透明色の樹脂製であり、例えば、ＰＣ（ポリカーボネート）製である。カバー９は、矩形の平板９ａと、該平板９ａの短手方向の両端から直交する方向に延びる矩形の２側壁９ｂ，９ｂとを備えており、扁平なＵ字形の断面形状を有している。カバー９は、２側壁９ｂ，９ｂ間に、フレーム６の立ち上がり部６ｂ，６ｂを嵌め込むことにより、フレーム６に取付けてある。
【００３８】
カバー９が取付けられたフレーム６の長手方向の両端部には、押さえ部６１，６２が夫々両側から差し込まれ、フレーム６に固定してある。
【００３９】
以上のように構成された照明装置は、カバー９の側が下になるように天井に取付けられ、商用電源に接続される。電源の投入に伴い電源回路部品８の全波整流部にて整流され、定電流部にて一定の電流値になるように調整された後の直流電流が、光源モジュール１０，１０…に供給され、光源モジュール１０，１０のＬＥＤ２，２…が点灯する。ＬＥＤ２，２…からの光は、カバー９に入射し、入射した光の大部分は照明装置の外部に出射される一方、一部はカバー９にて反射／拡散される。反射／拡散された光は、光源モジュール１０，１０…の反射シート３，３…にて更に反射されて、カバー９を透過して照明装置の外部へ出射される。
【００４０】
照明装置が高湿度の環境下にて保管または使用されたとき、前述した如く、反射シート３，３…の膨張に伴う伸びを阻害しないように反射シート３，３…を保持するように光源モジュール１０，１０…が構成してあるから、反射シート３，３…が部分的に浮き上がる又は変形することを防止することができる。この結果、美観に資する。また、ＬＥＤ２，２…近傍の反射シート３の浮き上がり又は変形によりＬＥＤ２，２…からの光が遮蔽されることを防止することができるとともに、光源モジュール１０，１０…から出射され、カバー９にて反射／拡散された光を、反射シート３，３…により適切に反射させて照明装置の外部に出射させることができ、照明光として外部に出射される光量の損失を低減することができる。さらに、ＬＥＤ２，２…が実装されたＬＥＤ基板１，１…をフレーム６に固定するネジ４，４…が、反射シート３，３…をＬＥＤ基板１，１…に保持する保持部材を兼ねているから、簡易な構成により、浮き上がり又は変形を防止しつつ反射シート３，３…を保持することができる。
【００４１】
なお、本実施の形態において、スペーサ５，５…の形状を円筒にしているが、これに限定されず、ＬＥＤ基板１の一面１ａとネジ４，４…のネジ頭部４１，４１…とを適長離隔することが可能な形状であればよい。
【００４２】
なお、スペーサ５として、ワッシャーが用いられ、例えばプラスチック等の樹脂製のワッシャーが好適に用いられる。ワッシャーは、反射シート３がＬＥＤ基板１に対して移動できる隙間を確保できる程度の厚みがあればよい。
【００４３】
（実施の形態２）
図６は、本発明の実施の形態２に係る光源モジュール１０ａの部分断面図である。ネジ４ａ，４ａ…は、扁平な半球状のネジ頭部４１ａ，４１ａ…と、円柱状の軸部４２ａ，４２ａ…とを有してなる。軸部４２ａ，４２ａ…は、ネジ頭部４１ａ，４１ａ…の側に扁平な円柱状の拡径部４３ａ，４３ａ…を有している。拡径部４３ａ，４３ａ…の軸長方向長さは、反射シート３がＬＥＤ基板１の一面１ａ及びネジ頭部４１ａ，４１ａ…間に所定の隙間Ｇ１（例えば、１ｍｍ）を有して保持されるように、ＬＥＤ基板１の一面１ａとネジ４ａ，４ａ…のネジ頭部４１ａ，４１ａ…とを適長離隔するように決定してある。
【００４４】
反射シート３の４隅及び中央部に設けられた円形孔３ｂ，３ｂ…は、該円形孔３ｂ，３ｂ…の周面が拡径部４３ａ，４３ａ…の外周面との間に所定の隙間Ｇ２（例えば、１ｍｍ）を有し、ネジ４ａ，４ａ…のネジ頭部４１ａ，４１ａ…の外径よりも小さい直径を有するように形成してある。このようにＬＥＤ基板１との隙間Ｇ１、拡径部４３ａ，４３ａ…及びＬＥＤ２，２…夫々との隙間Ｇ２，Ｇ３を有して反射シート３をネジ４ａ，４ａ…によりＬＥＤ基板１に保持するように構成することにより、反射シート３の膨張および／または収縮を吸収するように反射シート３を保持する吸収保持部が構成される。その他の構成は、図３に示す実施の形態１と同様であるため、対応する構成部材に図３と同一の参照符号を付して、その構成の詳細な説明を省略する。
【００４５】
以上のように構成された実施の形態２に係る光源モジュール１０ａにおいて、光源モジュール１０ａが高湿度の環境下にて保管または使用されたとき、反射シート３は、空気中の水蒸気を吸収して反射シート３の全体がほぼ均一に膨張する。反射シート３は、ＬＥＤ基板１との隙間Ｇ１、ネジ４ａ，４ａ…の拡径部４３ａ，４３ａ…及びＬＥＤ２，２…夫々との隙間Ｇ２，Ｇ３の範囲内にてＬＥＤ基板１に対して自由に相対移動することができるから、膨張に伴う伸びを吸収することができる。ネジ４ａ，４ａ…に拡径部４３ａ，４３ａ…を設けるという簡易な構成により、反射シート３が部分的に浮き上がる又は変形することを防止することができる。この結果、美観に資するとともに、光源モジュール１０ａの外部に出射される光量の損失を低減することができる。
【００４６】
この光源モジュール１０ａは、実施の形態１に係る光源モジュール１０と同様に、図４及び図５に示す照明装置に用いることができる。照明装置が高湿度の環境下にて保管または使用されたとき、反射シート３，３…の膨張に伴う伸びを阻害しないように反射シート３，３…を保持するように光源モジュール１０ａ，１０ａ…が構成してあるから、反射シート３，３…が部分的に浮き上がる又は変形することを防止することができる。この結果、美観に資する。また、ＬＥＤ２，２…近傍の反射シート３の浮き上がり又は変形によりＬＥＤ２，２…からの光が遮蔽されることを防止することができるとともに、光源モジュール１０ａ，１０ａ…から出射され、カバー９にて反射／拡散された光を、反射シート３，３…により適切に反射させて照明装置の外部に出射させることができ、照明光として外部に出射される光量の損失を低減することができる。さらに、ＬＥＤ２，２…が実装されたＬＥＤ基板１，１…をフレーム６に固定するネジ４ａ，４ａ…が、反射シート３，３…をＬＥＤ基板１，１…に保持する保持部材を兼ねているから、簡易な構成により、浮き上がり又は変形を防止しつつ反射シート３，３…を保持することができる。
【００４７】
なお、本実施の形態において、ネジ４ａ，４ａ…の拡径部４３ａ，４３ａ…の形状を円柱にしているが、これに限定されず、ＬＥＤ基板１の一面１ａとネジ４ａ，４ａ…のネジ頭部４１ａ，４１ａ…とを適長離隔することが可能な形状であればよい。
【００４８】
また、以上の実施の形態においては、反射シート３の矩形孔３ａ，３ａ…をＬＥＤ２，２…の外面との間に所定の隙間を有するように形成し、円形孔３ｂ，３ｂ…をスペーサ５，５…又は拡径部４３ａ，４３ａ…の外周面との間に所定の隙間を有するようにしてあるが、これに限定されない。例えば、反射シート３の矩形孔３ａ，３ａ…及び円形孔３ｂ，３ｂ…を、反射シート３の長手方向にのみ隙間を有するようにしてもよいし、隙間がないようにしてもよい。この場合においても、ＬＥＤ基板１の一面１ａとネジのネジ頭部とが適長離隔しているから、反射シート３の伸びをある程度吸収することができる。
【００４９】
また、以上の実施の形態においては、スペーサ５，５…又はネジ４ａ，４ａ…の拡径部４３ａ，４３ａ…によりネジ頭部とＬＥＤ基板１とを適長離隔するように構成してあるが、これに限定されない。スペーサ５，５…又はネジ４ａ，４ａ…の拡径部４３ａ，４３ａ…のようにスペーサの機能を有する部品がなくても、ネジを取付ける際に、ネジ頭部とＬＥＤ基板１との間に隙間を有するように調整すればよい。
【００５０】
また、以上の実施の形態においては、ネジにより反射シート３をＬＥＤ基板１に保持するように構成しているが、保持部材としてはこれに限定されず、反射シート３の伸びを吸収可能なようにＬＥＤ基板１に保持することができる構成であればよい。例えば、クリップやピンといった部材でもよい。
【００５１】
また、以上の実施の形態においては、照明装置のカバー９として、高光透過率の透明色の樹脂製を用いているが、これに限定されない。カバー９として、光源モジュールからの光を拡散して均一な照明光を得るべく、例えば、拡散剤が添加された乳白色の樹脂製、細かい凹凸加工が施された透明色の樹脂製等を用いてもよい。
【００５２】
この場合においては特に、カバー９で拡散されてＬＥＤから出射された光の一部がＬＥＤ基板１側に反射されるので、ＬＥＤ基板１で光が吸収されて損失する事を防ぐために反射シート３は必要となる。従って、上述した本発明の構成によって、反射シート３の変形を防止することにより、照明光として照明装置の外部に出射される光量の損失を低減することができる。
【００５３】
また、以上の実施の形態においては、光学部材として反射シート３を用いた例について説明したが、これに限定されず、高湿度等の使用環境下において、膨張及び／又は収縮する例えば偏光シートといった光学部材についても同様に適用することができる。
【００５４】
また、以上の実施の形態においては、ＬＥＤ基板１の側が天井の側になるように光源モジュールを設けた照明装置を例に説明したが、光源モジュールの取付方向はこれに限定されない。種々の照明装置に応じた適切な方向に光源モジュールを取付けた場合においても同様に、反射シートの伸びが吸収されることになり、美観に資するとともに、照明光として外部に出射される光量の損失を低減することができる。
【００５５】
また、以上の実施の形態においては、光源として表面実装型ＬＥＤを用いているが、これに限定されず、他のタイプのＬＥＤ、ＥＬ（Ｅｌｅｃｔｒｏ  Ｌｕｍｉｎｅｓｃｅｎｃｅ）等を用いてもよい。
【００５６】
また、以上の実施の形態においては、光源モジュールを照明装置に適用した例について述べたが、該光源モジュールは、照明装置以外の光源モジュールを備える機器にも適用可能であり、その他、特許請求の範囲に記載した事項の範囲内において種々変更した形態にて実施することが可能であることは言うまでもない。
【図面の簡単な説明】
【００５７】
【図１】本発明の実施の形態１に係る光源モジュールの模式的外観図である。
【図２】図１の光源モジュールの反射シートの模式的平面図である。
【図３】図１の III−III 線による光源モジュールの部分断面図である。
【図４】実施の形態１に係る光源モジュールを備える照明装置の外観斜視図である。
【図５】実施の形態１に係る光源モジュールを備える照明装置の分解斜視図である。
【図６】本発明の実施の形態２に係る光源モジュールの部分断面図である。
【符号の説明】
【００５８】
１  ＬＥＤ基板（支持体）
２  ＬＥＤ（光源）
３  反射シート（光学部材）
３ａ  矩形孔（貫通孔）
３ｂ  円形孔（貫通孔）
４，４ａ  ネジ（保持部材）
４１，４１ａ  ネジ頭部（保持部材頭部）
４２，４２ａ  軸部
４３ａ  拡径部
５  スペーサ
【図１】
2009283140.tif 000003
【図２】
2009283140.tif 000004
【図３】
2009283140.tif 000005
【図４】
2009283140.tif 000006
【図５】
2009283140.tif 000007
【図６】
2009283140.tif 000008